(57)【特許請求の範囲】
【請求項１】
引戸を備える防火戸であって、
前記引戸は、ガラスと、前記ガラスのうちの前記引戸の駆動方向における一方の側部を支持している戸尻側縦框と、前記ガラスのうちの前記引戸の駆動方向における他方の側部を支持している戸先側縦框と、を備え、
前記戸尻側縦框を構成する壁の少なくとも一部の厚さが前記戸先側縦框を構成する壁の少なくとも一部の厚さよりも大きいこと、および、前記戸尻側縦框を構成する壁の少なくとも一部の比熱が前記戸先側縦框を構成する壁の少なくとも一部の比熱よりも大きいこと、の少なくとも１つに基づいて、前記戸尻側縦框の熱容量が、前記戸先側縦框の熱容量よりも大きい
防火戸。
【請求項２】
前記戸尻側縦框の体積が前記戸先側縦框の体積よりも大きいこと、および、前記戸尻側縦框の内部に少なくとも１つの部材が配置されていること、の少なくとも１つに基づいて、前記戸尻側縦框の熱容量が前記戸先側縦框の熱容量よりも大きい
請求項１に記載の防火戸。
【請求項３】
引戸を備える防火戸であって、
前記引戸は、ガラスと、前記ガラスのうちの前記引戸の駆動方向における一方の側部を支持している戸尻側縦框と、前記ガラスのうちの前記引戸の駆動方向における他方の側部を支持している戸先側縦框と、を備え、
前記戸尻側縦框は、中空形状の本体部と、前記本体部の内部に配置されている連結芯材とを備え、
前記本体部は、間隔をあけて配置された一対の壁と、前記引戸の前後方向に延びて前記ガラスの一方の側部を支持している第３の壁とを含み、前記第３の壁は、前記ガラスの一方の端部に対向する第１部位、前記第１部位に対して前後方向の一方側の第２部位および他方側の第３部位を有し、前記第２部位および前記第３部位は、引戸の駆動方向において前記第１部位よりも戸先側に突出するように構成され、
前記連結芯材は、前記一対の壁のうちの一方の壁と他方の壁とに接続され、かつ、前記第１部位に接触することによって、前記戸尻側縦框の本体部の内部空間を、高さ方向に垂直な断面において、３つの部屋に区画し、
前記戸尻側縦框の熱容量が前記戸先側縦框の熱容量よりも大きい
防火戸。
【請求項４】
前記一対の壁は、前記引戸の駆動方向に延びる第１の壁および第２の壁である
請求項３に記載の防火戸。
【請求項５】
前記連結芯材は、前記第１の壁に接続され、前記引戸の駆動方向に延びる第１の接触部、前記第２の壁に接続され、前記引戸の駆動方向に延びる第２の接触部、および、前記第１の接触部と前記第２の接触部とを繋ぐ連結部を含む
請求項４に記載の防火戸。
【請求項６】
前記連結部は、前記第３の壁の前記第１部位と接触している
請求項５に記載の防火戸。
【請求項７】
前記本体部は、前記第３の壁と間隔をあけて配置されている第４の壁を含み、
前記本体部の内部において、前記第４の壁に面する位置に配置されている補助芯材をさらに備える
請求項６に記載の防火戸。
【請求項８】
前記引戸の前後方向において、前記補助芯材の寸法が前記第４の壁の寸法よりも短く、
前記補助芯材は、前記引戸の前後方向における一方の端部が、前記第１の壁および前記第２の壁の一方と接触し、前記引戸の前後方向における他方の端部が、前記第１の壁および前記第２の壁の他方と間隔をあけて配置されている
請求項７に記載の防火戸。
【請求項９】
前記ガラスは、前記戸尻側縦框により支持されている戸尻側被支持部、および、前記戸先側縦框により支持されている戸先側被支持部を含み、
前記引戸の駆動方向において、前記戸尻側被支持部の寸法が前記戸先側被支持部の寸法よりも長い
請求項１〜８のいずれか一項に記載の防火戸。
【請求項１０】
前記戸尻側縦框および前記戸先側縦框と繋がり、前記ガラスの上部を支持する上框と、
前記戸尻側縦框および前記戸先側縦框と繋がり、前記ガラスの下部を支持する下框とを備え、
前記ガラスは、前記上框により支持されている上框被支持部、および、前記下框により支持されている下框被支持部を含み、
前記防火戸の高さ方向において、前記上框被支持部の寸法が前記下框被支持部の寸法よりも長い
請求項１〜９のいずれか一項に記載の防火戸。
【発明の詳細な説明】
【技術分野】
【０００１】
本発明は、建物に設置される防火戸に関する。
【背景技術】
【０００２】
従来から、商業施設および病院等の建物に設置される防火戸が知られている。その一例である特許文献１に記載の防火戸は、駆動原により駆動される２つの引戸を備える引き分け戸としての形態を有する。引戸は、ガラス、ガラスのうちの引戸の駆動方向における一方の側部を支持する戸尻側縦框、および、ガラスのうちの引戸の駆動方向における他方の側部を支持する戸先側縦框を備える。
【先行技術文献】
【特許文献】
【０００３】
【特許文献１】特開平８−２８４５４４号公報
【発明の概要】
【発明が解決しようとする課題】
【０００４】
上記防火戸は、引戸が閉じている状態において、戸先側縦框が他方の引戸の戸先側縦框と接触しているため、防火戸が設置されている建物内で火災が発生しても、戸先側縦框のうちの他方の引戸の戸先側縦框と接触している面は火炎にさらされにくい。このため、一方の戸先側縦框が他方の戸先側縦框に接近する方向、換言すれば、一方の戸先側縦框が支持しているガラスから離間する方向に変形しにくい。このため、ガラスが戸先側縦框から外れにくい。
【０００５】
一方、戸尻側縦框は、引戸の開動作にともない間口に接近する方向に移動して縦枠と接触するため、戸尻側縦框の移動経路上に物体を配置することができない。このため、引戸が閉じている状態において、戸尻側縦框の周囲には物体が存在しないため、防火戸が設置されている建物内で火災が発生した場合、多くの部分が火炎にさらされる。このため、戸尻側縦框が支持しているガラスから離間する方向に変形しやすく、ガラスが戸尻側縦框から外れるおそれがある。
【０００６】
また、防火戸の形態が片引戸の場合、引戸が閉じている状態において、戸先側縦框は、間口にとりつけられた縦枠により支持されているため、戸先側縦框のうちの縦枠により支持されている面は火炎にさらされにくい。また、戸先側縦框が支持しているガラスから離間する方向に変形することが縦枠により規制されるため、ガラスが戸先側縦框から外れにくい。しかし、戸尻側縦框については、引き分け戸の場合と同様の理由により、戸尻側縦框が支持しているガラスから離間する方向に変形しやすく、ガラスが戸尻側縦框から外れるおそれがある。
【０００７】
本発明は、ガラスが外れにくい防火戸を提供することを目的とする。
【課題を解決するための手段】
【０００８】
（１）本発明の一形態に従う防火戸は、引戸を備える防火戸であって、前記引戸は、ガラス、前記ガラスのうちの前記引戸の駆動方向における一方の側部を支持している戸尻側縦框、および、前記ガラスのうちの前記引戸の駆動方向における他方の側部を支持している戸先側縦框を備え、前記戸尻側縦框の熱容量が前記戸先側縦框の熱容量よりも大きい。
【０００９】
この防火戸によれば、戸尻側縦框の熱容量が戸先側縦框の熱容量よりも大きいため、防火戸が設置されている建物内で火災が発生したときに、戸尻側縦框の温度が上昇しにくい。このため、戸尻側縦框が、熱膨張してガラスから離間する方向に大きく変形することが抑制されるため、ガラスが外れにくい。
【００１０】
（２）上記防火戸に従属する一形態によれば、前記戸尻側縦框の体積が前記戸先側縦框の体積よりも大きいことにより、前記戸尻側縦框の熱容量が前記戸先側縦框の熱容量よりも大きい。
【００１１】
この防火戸によれば、戸尻側縦框の熱容量を戸先側縦框の熱容量よりも大きくするために、戸尻側縦框の体積を戸先側縦框の体積よりも大きくする構成が用いられている。このため、戸先側縦框と戸尻側縦框との材料の統一化が図られる。
【００１２】
（３）上記防火戸に従属する一形態によれば、前記戸尻側縦框は、中空形状の本体部、および、前記本体部の内部に配置されている連結芯材を備え、前記本体部は、間隔をあけて配置された一対の壁を含み、前記連結芯材は、前記一対の壁のうちの一方の壁と他方の壁とに接続されている。
【００１３】
この防火戸によれば、本体部が中空形状であるため、引戸の軽量化が図られる。また、本体部の内部には、一対の壁を接続する連結芯材が配置されているため、戸尻側縦框の熱容量が大きくなる。このため、戸尻側縦框の熱膨張による変形を抑制でき、よりガラスが外れにくい。
【００１４】
（４）上記防火戸に従属する一形態によれば、前記一対の壁は、前記引戸の駆動方向に延びる第１の壁および第２の壁である。
引戸の駆動方向に延びる第１の壁または第２の壁は、防火戸により区画される室外空間または室内空間に面するため、防火戸が設置されている建物内で火災が発生したときに火炎にさらされやすい。この防火戸によれば、連結芯材が第１の壁および第２の壁に接続されているため、戸尻側縦框のうちの熱膨張により変形しやすい部分の強度が高められる。
【００１５】
（５）上記防火戸に従属する一形態によれば、前記連結芯材は、前記第１の壁に接続され、前記引戸の駆動方向に延びる第１の接触部、前記第２の壁に接続され、前記引戸の駆動方向に延びる第２の接触部、および、前記第１の接触部と前記第２の接触部とを繋ぐ連結部を含む。
【００１６】
この防火戸によれば、第１の接触部および第２の接触部が引戸の駆動方向に延びる形状であるため、第１の接触部と第１の壁との接触面積、および、第２の接触部と第２の壁との接触面積を大きくできる。このため、戸尻側縦框の強度をより高めることができ、戸尻側縦框が熱膨張により大きく変形することを効果的に抑制できる。
【００１７】
（６）上記防火戸に従属する一形態によれば、前記本体部は、前記引戸の前後方向に延び、前記ガラスの一方の側部を支持している第３の壁を含み、前記連結部は、前記第３の壁と接触している。
【００１８】
この防火戸によれば、ガラスを支持している第３の壁と連結部とが接触しているため、第３の壁が熱膨張して大きく変形することを抑制できる。このため、ガラスがより外れにくい。なお、引戸の前後方向は、建物内において防火戸により区画される室内外の方向である。
【００１９】
（７）上記防火戸に従属する一形態によれば、前記本体部は、前記第３の壁と間隔をあけて配置されている第４の壁を含み、前記本体部の内部において、前記第４の壁に面する位置に配置されている補助芯材をさらに備える。
【００２０】
この防火戸によれば、補助芯材を備えるため、戸尻側縦框の熱容量をさらに大きくできる。このため、戸尻側縦框の熱膨張による変形を抑制でき、よりガラスが外れにくい。
（８）上記防火戸に従属する一形態によれば、前記引戸の前後方向において、前記補助芯材の寸法が前記第４の壁の寸法よりも短く、前記補助芯材は、前記引戸の前後方向における一方の端部が、前記第１の壁および前記第２の壁の一方と接触し、前記引戸の前後方向における他方の端部が、前記第１の壁および前記第２の壁の他方と間隔をあけて配置されている。
【００２１】
この防火戸によれば、補助芯材の一方の端部が、第１の壁または第２の壁と接触しているため、本体部の内部における補助芯材の位置が安定しやすい。
（９）上記防火戸に従属する一形態によれば、前記ガラスは、前記戸尻側縦框により支持されている戸尻側被支持部、および、前記戸先側縦框により支持されている戸先側被支持部を含み、前記引戸の駆動方向において、前記戸尻側被支持部の寸法が前記戸先側被支持部の寸法よりも長い。
【００２２】
この防火戸によれば、引戸の駆動方向における戸尻側被支持部の寸法が戸先側被支持部の寸法よりも長い、すなわち、戸尻側縦框のガラスの呑み込み量が戸先側縦框のガラスの呑み込み量よりも多い。このため、戸尻側縦框がガラスから離間する方向に変形してもガラスが戸尻側縦框に支持されている状態が維持されやすい。
【００２３】
（１０）上記防火戸に従属する一形態によれば、前記戸尻側縦框および前記戸先側縦框と繋がり、前記ガラスの上部を支持する上框と、前記戸尻側縦框および前記戸先側縦框と繋がり、前記ガラスの下部を支持する下框とを備え、前記ガラスは、前記上框により支持されている上框被支持部、および、前記下框により支持されている下框被支持部を含み、前記防火戸の高さ方向において、前記上框被支持部の寸法が前記下框被支持部の寸法よりも長い。
【００２４】
この防火戸によれば、上框被支持部の寸法が下框被支持部の寸法よりも長い、すなわち、上框のガラスの呑み込み量が、下框のガラスの呑み込み量よりも多い。このため、戸尻側縦框および戸先側縦框が防火戸の高さ方向に熱膨張することにより上框がガラスから離間する方向に移動しても、ガラスが上框により支持されている状態が維持されやすい。
【発明の効果】
【００２５】
本発明にかかる防火戸によれば、ガラスが外れにくい。
【図面の簡単な説明】
【００２６】
【図１】実施形態の防火戸の外観の正面図。
【図２】図１の引戸の戸尻側縦框の斜視図。
【図３】図１のＤ３−Ｄ３線に沿う断面図。
【図４】図１のＤ４−Ｄ４線に沿う断面図。
【図５】図１のＤ５−Ｄ５線に沿う断面図。
【発明を実施するための形態】
【００２７】
（実施形態）
図１に示されるように、引き分け式の防火戸１は、建物内に形成された間口５００の長手方向において対向して配置された一対の縦枠２、および、一対の縦枠２の上方に配置され、一対の縦枠２により固定支持されている無目２００を備える。防火戸１は、さらに、２つの固定壁１０と、２つの固定壁１０が並べられている方向に沿って移動する２つの引戸２０を備える。無目２００には、引戸２０を移動させる駆動部１００が収容されており、駆動部１００が引戸２０を駆動方向ＺＢに移動させることにより、２つの引戸２０が２つの固定壁１０の間の出入口を開閉する。なお、防火戸１は、１つの固定壁１０、および、駆動部１００により駆動される１つの引戸２０を備える片引き式であってもよい。
【００２８】
縦枠２は、鉄またはステンレスにより形成されている。固定壁１０は、防火戸１の高さ方向ＺＡに延びる中方立１１、および、中方立１１と縦枠２との間に配置され、引戸２０の駆動方向ＺＢに延びる巾木１２を備える。縦枠２、中方立１１、巾木１２、および、無目２００は、ガラス１３を支持している。ガラス１３としては、例えば、ホウケイ酸硝子を熱処理することにより耐熱性が高められた低膨張防火ガラスが用いられている。
【００２９】
引戸２０は、戸車を有するドアハンガ３１０，３２０を介して無目２００内に配置された走行レール（図示略）に吊り下げられ、駆動方向ＺＢにスライド自在に支持されている。引戸２０は、ガラス３０、ガラス３０のうちの引戸２０の駆動方向ＺＢにおける一方の側部を支持している戸尻側縦框４０、および、ガラス３０のうちの引戸２０の駆動方向ＺＢにおける他方の側部を支持している戸先側縦框８０を備える。引戸２０は、さらに、戸尻側縦框４０と戸先側縦框８０との間に配置され、引戸２０の駆動方向ＺＢに延びる上框９１および下框９２を備える。
【００３０】
ガラス３０としては、例えば、ホウケイ酸硝子を熱処理することにより耐熱性が高められた低膨張防火ガラスが用いられている。戸尻側縦框４０、戸先側縦框８０、上框９１、および、下框９２は、鉄またはステンレスにより形成されている。
【００３１】
上框９１は、ガラス３０の上部を支持し、戸尻側縦框４０および戸先側縦框８０と繋がっている。下框９２は、ガラス３０の下部を支持し、戸尻側縦框４０および戸先側縦框８０と繋がっている。
【００３２】
駆動部１００は、電気モータ１１０、電気モータ１１０の出力軸と減速機（図示略）を介して連結されている駆動スプロケット１２０、および、引戸２０の駆動方向ＺＢにおいて駆動スプロケット１２０と間隔をあけて配置されている従動スプロケット１３０を備える。駆動部１００は、さらに、駆動スプロケット１２０と従動スプロケット１３０とに巻き掛けられているチェーン１４０を有する。チェーン１４０は、互いに移動方向が異なる第１の部分１４１および第２の部分１４２を有する。第１の部分１４１と２つの引戸２０のうちの一方の上框９１とは、第１のドアハンガ３１０を介して接続されている。第２の部分１４２と２つの引戸２０のうちの他方の上框９１とは、第２のドアハンガ３２０を介して接続されている。電気モータ１１０の駆動力がチェーン１４０を介してドアハンガ３１０，３２０に伝達されることにより、引戸２０が開閉する。なお、無目２００内には、駆動部１００の他に、防火戸１が設置されている建物内で火災が発生したことが検出されたときに、引戸２０を閉じ方向に移動させるための自動閉鎖装置（図示略）が配置されている。
【００３３】
図２または図３に示されるように、戸尻側縦框４０は、中空の形状である本体部５０、本体部５０の内部に配置されている連結芯材６０、および、直方体形状の補助芯材７０を備える。
【００３４】
本体部５０は、引戸２０の前後方向ＺＣにおいて間隔をあけて配置されている一対の壁５１，５２、および、引戸２０の駆動方向ＺＢにおいて間隔をあけて配置されている一対の壁５３，５４を備える。なお、図３では、固定壁１０の一部を二点鎖線で模式的に示している。なお、引戸２０の前後方向ＺＣは、建物内において防火戸１により区画される室内外の方向である。
【００３５】
第１の壁５１は、正面視において長方形状であり、短手方向が引戸２０の駆動方向ＺＢと一致し、長手方向が引戸２０の高さ方向ＺＡと一致する。
第２の壁５２は、正面視において長方形状であり、短手方向が引戸２０の駆動方向ＺＢと一致し、長手方向が引戸２０の高さ方向ＺＡと一致する。
【００３６】
第３の壁５３は、正面視において長方形状であり、短手方向が引戸２０の前後方向ＺＣと一致し、長手方向が引戸２０の高さ方向ＺＡと一致する。第３の壁５３は、引戸２０の駆動方向ＺＢにおいて第４の壁５４に向けて凹む凹部５３Ａが形成されている。凹部５３Ａは、引戸２０の駆動方向ＺＢにおけるガラス３０の一方の側部である戸尻側被支持部３１（図３参照）を支持している。
【００３７】
第４の壁５４は、正面視において長方形状であり、短手方向が引戸２０の前後方向ＺＣと一致し、長手方向が引戸２０の高さ方向ＺＡと一致する。
第１の壁５１、第２の壁５２、第３の壁５３、および、第４の壁５４を含む戸尻側縦框４０を構成する各部材の厚さは、戸先側縦框８０を構成する各部材の厚さよりも大きいため、戸尻側縦框４０は、戸先側縦框８０よりも体積が大きい。このため、鉄またはステンレスの材質を変えることなく、戸尻側縦框４０の熱容量を戸先側縦框８０の熱容量よりも大きくすることができる。
【００３８】
連結芯材６０は、第１の壁５１に接続されている第１の接触部６１、第２の壁５２に接続されている第２の接触部６２、および、第１の接触部６１と第２の接触部６２とを繋いでいる連結部６３を含む。連結芯材６０は、鉄により形成されている。
【００３９】
図２に示されるように、第１の接触部６１は、正面視において長方形状であり、短手方向が引戸２０の駆動方向ＺＢと一致し、長手方向が引戸２０の高さ方向ＺＡと一致する。引戸２０の高さ方向ＺＡにおいて、第１の接触部６１の寸法と第１の壁５１の寸法とは、実質的に等しい。第１の接触部６１は、第１の壁５１の内面に溶接されている。
【００４０】
第２の接触部６２は、正面視において長方形状であり、短手方向が引戸２０の駆動方向ＺＢと一致し、長手方向が引戸２０の高さ方向ＺＡと一致する。引戸２０の高さ方向ＺＡにおいて、第２の接触部６２の寸法と第２の壁５２の寸法とは、実質的に等しい。第２の接触部６２は、第２の壁５２の内面に溶接されている。
【００４１】
連結部６３は、正面視において長方形状であり、第１の接触部６１および第２の接触部６２と一体的に形成されている。連結部６３は、第３の壁５３のうちの凹部５３Ａが形成されている部分の内面に溶接されている。連結部６３は、短手方向が引戸２０の前後方向ＺＣと一致し、長手方向が引戸２０の高さ方向ＺＡと一致する。引戸２０の高さ方向ＺＡにおいて、連結部６３の寸法と、第１の接触部６１の寸法および第２の接触部６２とは、実質的に等しい。
【００４２】
補助芯材７０は、正面視において長方形状であり、短手方向が引戸２０の前後方向ＺＣと一致し、長手方向が引戸２０の高さ方向ＺＡと一致する。補助芯材７０は、鉄により形成され、短手方向の寸法が第４の壁５４の短手方向の寸法よりも短い。補助芯材７０は、短手方向の一方の端部７１が、第２の壁５２の内面と接触し、短手方向の他方の端部７２が、第１の壁５１の内面と間隔をあけて配置されるように、第２の壁５２および第４の壁５４に溶接されている。引戸２０の高さ方向ＺＡにおいて、補助芯材７０の寸法と、第１の接触部６１、第２の接触部６２、および、連結部６３との寸法とは、実質的に等しい。
【００４３】
図３に示されるように、戸先側縦框８０は、中空形状であり、引戸２０の駆動方向ＺＢにおける戸尻側縦框４０に近い方の端部８１は、引戸２０の駆動方向ＺＢにおけるガラス３０の他方の側部である戸先側被支持部３２を支持している。
【００４４】
引戸２０の駆動方向ＺＢにおいて、戸尻側被支持部３１の寸法ＬＡは戸先側被支持部３２の寸法ＬＢよりも長い。すなわち、戸尻側縦框４０のガラス３０の呑み込み量は、戸先側縦框８０のガラス３０の呑み込み量よりも多い。なお、引戸２０が閉じている状態において、戸先側縦框８０のうちの引戸２０の駆動方向ＺＢにおける戸尻側縦框４０と反対側の端部８２は、戸当りゴム４００を介して、他方の戸先側縦框８０と接触している。
【００４５】
図４に示されるように、ガラス３０は、上框９１の凹部９１Ａに挿入されている上框被支持部３３、および、下框９２の凹部９２Ａに挿入されている下框被支持部３４を含む。防火戸１の高さ方向ＺＡにおいて、上框被支持部３３の寸法ＬＣが下框被支持部３４の寸法ＬＤよりも長い。すなわち、上框９１のガラス３０の呑み込み量は、下框９２のガラス３０の呑み込み量よりも多い。下框被支持部３４は、下框９２の凹部９２Ａに配置されているセッテイングブロック９２Ｂに支持されている。
【００４６】
図５に示されるように、無目２００は、駆動部１００を収容しているメインケース２１０、および、メインケース２１０の一方の側壁２１１にヒンジ２２０を介して取り付けられている点検カバー２３０を備える。無目２００は、さらに、メインケース２１０の下方に配置され、点検カバー２３０に対する位置が固定されている受け金具２６０を備える。なお、図５においては、図面の簡略化のため、無目２００内において駆動部１００が配置される領域を二点鎖線で示し、固定壁１０および引戸２０の図示を省略している。
【００４７】
メインケース２１０は、鉄により形成されており、側壁２１１の一部が開口している。
点検カバー２３０は、ヒンジ２２０と接続されているカバー本体２４０、および、カバー本体２４０の内部に配置されている芯材２５０を含む。
【００４８】
カバー本体２４０は、ステンレスにより形成され、正面視において長方形状である。カバー本体２４０は、短手方向が引戸２０の高さ方向ＺＡに延び、長手方向が引戸２０の駆動方向ＺＢ（図１参照）に延びる形状である。
【００４９】
芯材２５０は、カバー本体２４０のうちのヒンジ２２０と接続されている部分に配置されている第１の芯材２５１、カバー本体２４０のうちの下縁に配置されている第２の芯材２５２、および、第２の芯材２５２に溶接されている第３の芯材２５３を含む。
【００５０】
第１の芯材２５１は、鉄により形成され、引戸２０の駆動方向ＺＢ（図１参照）に延びている。第２の芯材２５２は、鉄により形成され、引戸２０の駆動方向ＺＢ（図１参照）に延びている。第２の芯材２５２は、カバー本体２４０の下縁に溶接され、ねじ２７０が挿入される孔２５２Ａが形成されている。
【００５１】
第３の芯材２５３は、鉄により形成され、引戸２０の駆動方向ＺＢ（図１参照）に延びている。第３の芯材２５３は、第２の芯材２５２に溶接され、ねじ２７０が挿入される孔２５３Ａが形成されている。
【００５２】
第２の芯材２５２の孔２５２Ａ、および、第３の芯材２５３の孔２５３Ａに挿入されたねじ２７０が受け金具２６０に締め付けられることにより、カバー本体２４０が受け金具２６０に対して固定される。作業者は、ねじ２７０を受け金具２６０から取り外すことにより、点検カバー２３０を開き、側壁２１１に形成された開口を介して駆動部１００を構成する部品のメンテナンスを行うことができる。
【００５３】
図３を参照して、防火戸１の作用および効果について説明する。
防火戸１が設置されている建物内で火災が発生したことが検出されたときに、自動閉鎖装置（図示略）が引戸２０を閉じ方向に移動させる。引戸２０が閉じ方向に移動することにより、一方の引戸２０の戸先側縦框８０と他方の引戸２０の戸先側縦框８０とが、戸当りゴム４００を介して接触する。
【００５４】
戸先側縦框８０のうちの他方の引戸２０の戸先側縦框８０と接触している面は火炎にさらされにくいため、引戸２０の駆動方向ＺＢにおいて、一方の戸先側縦框８０が他方の戸先側縦框８０に接近する方向、換言すれば、一方の戸先側縦框８０が支持しているガラス３０から離間する方向に変形しにくい。このため、ガラス３０が戸先側縦框８０から外れにくい。
【００５５】
一方、戸尻側縦框４０は、戸先側縦框８０よりも熱容量が大きいため、防火戸１が設置されている建物内で火災が発生したときに、戸先側縦框８０よりも温度が上昇しにくい。このため、引戸２０の駆動方向ＺＢにおいて、戸尻側縦框４０がガラス３０から離間する方向に熱膨張することが抑制されるため、ガラス３０が戸尻側縦框４０から外れにくい。
【００５６】
本実施形態の防火戸１は、さらに以下の効果を奏する。
（１）戸尻側縦框４０の熱容量を戸先側縦框８０の熱容量よりも大きくするために、戸尻側縦框４０の体積を戸先側縦框８０の体積よりも大きくする構成が用いられている。このため、戸先側縦框８０と戸尻側縦框４０との材料の統一化が図られる。
【００５７】
（２）本体部５０が中空形状であるため、引戸２０の軽量化が図られる。また、本体部５０の内部には、一対の壁５１，５２を接続する連結芯材６０が配置されているため、戸尻側縦框４０の熱容量が大きくなる。このため、戸尻側縦框４０の熱膨張による変形を抑制でき、ガラス３０がより外れにくい。
【００５８】
（３）第２の壁５２は、防火戸１により区画される室外空間または室内空間に面するため、防火戸１が設置されている建物内で火災が発生したときに火炎にさらされやすい。防火戸１は、連結芯材６０が、火炎にさらされやすい第２の壁５２、および、第２の壁５２と間隔をあけて配置されている第１の壁５１に接続されているため、戸尻側縦框４０のうちの熱膨張により変形しやすい部分の強度が高められる。
【００５９】
（４）連結芯材６０の第１の接触部６１および第２の接触部６２が引戸２０の駆動方向ＺＢに延びる形状であるため、第１の接触部６１と第１の壁５１との接触面積、および、第２の接触部６２と第２の壁５２との接触面積を大きくできる。このため、戸尻側縦框４０の強度をより高めることができ、戸尻側縦框４０が熱膨張により大きく変形することを効果的に抑制できる。
【００６０】
（５）ガラス３０を支持している第３の壁５３と連結部６３とが接触しているため、第３の壁５３が熱膨張して大きく変形することを抑制できる。このため、ガラス３０がより外れにくい。
【００６１】
（６）本体部５０の内部に補助芯材７０が配置されているため、戸尻側縦框４０の熱容量をさらに大きくできる。このため、戸尻側縦框４０の熱膨張による変形を抑制でき、よりガラスが外れにくい。
【００６２】
（７）第４の壁５４と補助芯材７０とが接触しているため、第４の壁５４が熱膨張して大きく変形することを抑制できる。
（８）補助芯材７０の一方の端部７１が、第２の壁５２と接触しているため、本体部５０の内部における補助芯材７０の位置が安定しやすい。
【００６３】
（９）補助芯材７０を本体部５０の内部に配置する際に、補助芯材７０の一方の端部７１を第２の壁５２と接触するように配置することにより、補助芯材７０の位置決めを行いやすい。このため、補助芯材７０の取付作業の効率が高められる。
【００６４】
（１０）引戸２０の駆動方向ＺＢにおける戸尻側被支持部３１の寸法ＬＡが戸先側被支持部３２の寸法ＬＢよりも長いため、戸尻側縦框４０がガラス３０から離間する方向に変形してもガラス３０が戸尻側縦框４０に支持されている状態が維持されやすい。
【００６５】
（１１）防火戸１の高さ方向ＺＡにおける上框被支持部３３の寸法ＬＣが下框被支持部３４の寸法ＬＤよりも長いため、戸尻側縦框４０および戸先側縦框８０が防火戸１の高さ方向ＺＡに熱膨張することにより上框９１がガラス３０から離間する方向に移動しても、ガラス３０が上框９１により支持されている状態が維持されやすい。
【００６６】
（１２）点検カバー２３０のカバー本体２４０の内部に第１の芯材２５１および第２の芯材２５２が配置されているため、点検カバー２３０の強度が高められる。
（１３）第２の芯材２５２の孔２５３Ａと受け金具２６０との距離が長い場合、ねじ２７０の先端が適切に受け金具２６０のねじ部に到達しないおそれがある。防火戸１によれば、第２の芯材２５２と受け金具２６０との間に孔２５３Ａが形成された第３の芯材２５３が配置されているため、孔２５３Ａを介してねじ２７０の先端が受け金具２６０に適切に案内されやすい。このため、ねじ２７０の受け金具２６０への締め付け作業を容易に行うことができる。
【００６７】
（変形例）
上記実施形態に関する説明は、本発明に従う防火戸が取り得る形態の例示であり、その形態を制限することを意図していない。本発明に従う防火戸は、例えば以下に示される実施形態の変形例、および、相互に矛盾しない少なくとも２つの変形例が組み合わせられた形態を取り得る。
【００６８】
（変形例１）
上記実施形態において、戸尻側縦框４０の構成を、例えば以下の（ａ）〜（ｎ）のようにしてもよい。
【００６９】
（ａ）第１の壁５１、第２の壁５２、第３の壁５３、および、第４の壁５４の少なくとも１つを戸先側縦框８０よりも比熱の大きい材料により形成することにより、戸尻側縦框４０の熱容量を戸先側縦框８０の熱容量よりも大きくしてもよい。
【００７０】
（ｂ）引戸２０の高さ方向ＺＡにおいて、第１の接触部６１の寸法を、第１の壁５１の寸法よりも短い寸法、または、第１の壁５１の寸法よりも長い寸法としてもよい。
（ｃ）引戸２０の高さ方向ＺＡにおいて、第２の接触部６２の寸法を、第２の壁５２の寸法よりも短い寸法、または、第２の壁５２の寸法よりも長い寸法としてもよい。
【００７１】
（ｄ）引戸２０の高さ方向ＺＡにおいて、連結部６３の寸法を、第１の接触部６１の寸法よりも長い寸法、または、第１の接触部６１よりも長い寸法としてもよい。
（ｅ）引戸２０の高さ方向ＺＡにおいて、連結部６３の寸法を、第２の接触部６２の寸法よりも長い寸法、または、第２の接触部６２よりも長い寸法としてもよい。
【００７２】
（ｆ）連結芯材６０のうちの第１の接触部６１を省略してもよい。この場合、連結部６３と第１の壁５１とが接触する。
（ｇ）連結芯材６０のうちの第２の接触部６２を省略してもよい。この場合、連結部６３と第２の壁５２とが接触する。
【００７３】
（ｈ）連結芯材６０の第１の接触部６１と第１の壁５１とを、１つ、または、複数のボルトにより接続してもよい。
（ｉ）連結芯材６０の第２の接触部６２と第２の壁５２とを、１つ、または、複数のボルトにより接続してもよい。
【００７４】
（ｊ）連結芯材６０の連結部６３を第３の壁５３の凹部５３Ａの内面と間隔をあけて配置してもよい。
（ｋ）連結芯材６０を、第３の壁５３と第４の壁５４とを接続するように配置してもよい。
【００７５】
（ｌ）連結芯材６０および補助芯材７０の少なくとも一方を鉄以外の材料により形成してもよい。
（ｍ）補助芯材７０の一方の端部７１を第２の壁５２と間隔をあけて配置し、他方の端部７２を第１の壁５１と接続してもよい。
【００７６】
（ｎ）補助芯材７０を第４の壁５４との間に間隔をあけて配置してもよい。
（変形例２）
上記実施形態において、無目２００の構成を、例えば以下の（ａ）〜（ｃ）のようにしてもよい。
【００７７】
（ａ）第１の芯材２５１、第２の芯材２５２、および、第３の芯材２５３の少なくとも１つを省略してもよい。
（ｂ）第１の芯材２５１、第２の芯材２５２、および、第３の芯材２５３の少なくとも１つを鉄以外の材料により形成してもよい。
【００７８】
（ｃ）カバー本体２４０をステンレス以外の材料により形成してもよい。
【符号の説明】
【００７９】
１    ：防火戸
２０  ：引戸
３０  ：ガラス
３１  ：戸尻側被支持部
３２  ：戸先側被支持部
３３  ：上框被支持部
３４  ：下框被支持部
４０  ：戸尻側縦框
５０  ：本体部
５１  ：第１の壁
５２  ：第２の壁
５３  ：第３の壁
５４  ：第４の壁
６０  ：連結芯材
６１  ：第１の接触部
６２  ：第２の接触部
６３  ：連結部
７０  ：補助芯材
７１  ：一方の端部
７２  ：他方の端部
【図１】
0006705626.tif 000002
【図２】
0006705626.tif 000003
【図３】
0006705626.tif 000004
【図４】
0006705626.tif 000005
【図５】
0006705626.tif 000006